(57)【要約】【課題】ユーザの利便性を向上させることが可能な画像形成装置および情報処理装置を提供する。【解決手段】画像形成装置は、画像データと付帯情報とを含む印刷データを取得する取得部と、この取得部により取得された印刷データに基づいて、第１面および第２面を有する被印刷媒体に画像を形成する画像形成部と、この画像形成部を制御する制御部とを備えている。制御部は、画像データに基づく画像である第１の画像が被印刷媒体の第１面に形成されると共に、付帯情報に基づく画像である第２の画像が被印刷媒体の第２面に形成されるように、画像形成部を制御する。【選択図】図８
2016032233.tif 000002
【特許請求の範囲】
【請求項１】
画像データと付帯情報とを含む印刷データを取得する取得部と、
前記取得部により取得された印刷データに基づいて、第１面および第２面を有する被印刷媒体に画像を形成する画像形成部と、
前記画像形成部を制御する制御部と
を備え、
前記制御部は、
前記画像データに基づく画像である第１の画像が前記被印刷媒体の前記第１面に形成されると共に、前記付帯情報に基づく画像である第２の画像が前記被印刷媒体の前記第２面に形成されるように、前記画像形成部を制御する
画像形成装置。
【請求項２】
前記印刷データが、医用画像データである
請求項１に記載の画像形成装置。
【請求項３】
前記医用画像データが、ＤＩＣＯＭ規格により規定された画像データである
請求項２に記載の画像形成装置。
【請求項４】
前記被印刷媒体の属性を検知する検知部を更に備え、
前記制御部は、
前記検知部により検知された前記被印刷媒体の属性に応じて、
前記第１の画像が前記被印刷媒体の前記第１面に形成されると共に前記第２の画像が前記被印刷媒体の前記第２面に形成される第１の印刷モードと、
前記第１および第２の画像のうちの少なくとも前記第１の画像が、前記被印刷媒体の前記第１面および前記第２面のうちの一方に形成される第２の印刷モードと
のうちのいずれか一方が実行されるように、前記画像形成部を制御する
請求項１ないし請求項３のいずれか１項に記載の画像形成装置。
【請求項５】
前記制御部は、
前記検知部によって前記被印刷媒体が不透明媒体であると検知された場合には、前記第１の印刷モードが実行される一方、
前記検知部によって前記被印刷媒体が透明媒体であると検知された場合には、前記第２の印刷モードが実行されるように、前記画像形成部を制御する
請求項４に記載の画像形成装置。
【請求項６】
前記被印刷媒体の属性が、前記被印刷媒体の種類、材質、サイズおよび厚みのうちの少なくとも１つである
請求項４または請求項５に記載の画像形成装置。
【請求項７】
前記制御部は、
所定のパラメータの内容に応じて、
前記第１の画像が前記被印刷媒体の前記第１面に形成されると共に前記第２の画像が前記被印刷媒体の前記第２面に形成される第１の印刷モードと、
前記第１および第２の画像のうちの少なくとも前記第１の画像が、前記被印刷媒体の前記第１面および前記第２面のうちの一方に形成される第２の印刷モードと
のうちのいずれか一方が実行されるように、前記画像形成部を制御する
請求項１ないし請求項３のいずれか１項に記載の画像形成装置。
【請求項８】
前記所定のパラメータを検知する検知部を更に備えた
請求項７に記載の画像形成装置。
【請求項９】
前記被印刷媒体上での前記第２の画像の形成領域の位置および大きさ、ならびに、前記第２の画像における文字サイズおよび文字色のうちの少なくとも１つが、任意に設定可能となっている
請求項１ないし請求項８のいずれか１項に記載の画像形成装置。
【請求項１０】
画像データと付帯情報とを含む印刷データに基づいて第１面および第２面を有する被印刷媒体に画像を形成する画像形成部を制御する制御部を備え、
前記制御部は、
前記画像データに基づく画像である第１の画像が前記被印刷媒体の前記第１面に形成されると共に、前記付帯情報に基づく画像である第２の画像が前記被印刷媒体の前記第２面に形成されるように、前記画像形成部を制御する
情報処理装置。
【請求項１１】
前記印刷データが、医用画像データである
請求項１０に記載の情報処理装置。
【請求項１２】
前記医用画像データが、ＤＩＣＯＭ規格により規定された画像データである
請求項１１に記載の情報処理装置。
【請求項１３】
前記制御部は、
前記被印刷媒体の属性に応じて、
前記第１の画像が前記被印刷媒体の前記第１面に形成されると共に前記第２の画像が前記被印刷媒体の前記第２面に形成される第１の印刷モードと、
前記第１および第２の画像のうちの少なくとも前記第１の画像が、前記被印刷媒体の前記第１面および前記第２面のうちの一方に形成される第２の印刷モードと
のうちのいずれか一方が実行されるように、前記画像形成部を制御する
請求項１０ないし請求項１２のいずれか１項に記載の情報処理装置。
【発明の詳細な説明】
【技術分野】
【０００１】
本発明は、画像データと付帯情報とを含む印刷データに基づいて画像を形成する画像形成装置、およびそのような画像形成装置に適用される情報処理装置に関する。
【背景技術】
【０００２】
従来、画像データと付帯情報とを含む印刷データに基づいて画像を形成する画像形成装置が提案されている。例えば特許文献１には、そのような画像形成装置の一例として、ＤＩＣＯＭ（Digital Imaging and COmmunication in Medicine）規格により規定された医用画像データ（ＤＩＣＯＭデータ）を用いるようにしたものが開示されている。
【先行技術文献】
【特許文献】
【０００３】
【特許文献１】特開２００２−１９０９３７号公報
【発明の概要】
【発明が解決しようとする課題】
【０００４】
ところで、このような画像形成装置では一般に、ユーザの利便性を向上させることが望まれる。
【０００５】
本発明はかかる問題点に鑑みてなされたもので、その目的は、ユーザの利便性を向上させることが可能な画像形成装置、およびそのような画像形成装置に適用される情報処理装置を提供することにある。
【課題を解決するための手段】
【０００６】
本発明の画像形成装置は、画像データと付帯情報とを含む印刷データを取得する取得部と、この取得部により取得された印刷データに基づいて、第１面および第２面を有する被印刷媒体に画像を形成する画像形成部と、この画像形成部を制御する制御部とを備えたものである。制御部は、画像データに基づく画像である第１の画像が被印刷媒体の第１面に形成されると共に、付帯情報に基づく画像である第２の画像が被印刷媒体の第２面に形成されるように、画像形成部を制御する。
【０００７】
本発明の情報処理装置は、画像データと付帯情報とを含む印刷データに基づいて第１面および第２面を有する被印刷媒体に画像を形成する画像形成部を制御する制御部を備えたものである。制御部は、画像データに基づく画像である第１の画像が被印刷媒体の第１面に形成されると共に、付帯情報に基づく画像である第２の画像が被印刷媒体の第２面に形成されるように、画像形成部を制御する。
【発明の効果】
【０００８】
本発明の画像形成装置および情報処理装置によれば、ユーザの利便性を向上させることが可能となる。
【図面の簡単な説明】
【０００９】
【図１】本発明の一実施の形態に係る印刷処理システムの概略構成例を模式的に表すブロック図である。
【図２】ＤＩＣＯＭ規格により規定された画像データのデータ構造例を表す模式図である。
【図３】図１に示した画像形成装置の詳細構成例を模式的に表すブロック図である。
【図４】抽出ＴＡＧ情報設定画面の一例を表す模式図である。
【図５】出力媒体設定画面の一例を表す模式図である。
【図６Ａ】比較例１に係る被印刷媒体への画像形成例を表す模式図である。
【図６Ｂ】比較例２に係る被印刷媒体への画像形成例を表す模式図である。
【図７Ａ】実施の形態に係るＤＩＣＯＭデータ印刷ジョブ生成部の動作例を表す流れ図である。
【図７Ｂ】図７Ａに続く動作例を表す流れ図である。
【図８】実施の形態に係る被印刷媒体への画像形成例を表す模式図である。
【図９】実施の形態に係る被印刷媒体への他の画像形成例を表す模式図である。
【図１０】変形例１に係る画像形成装置の構成例を模式的に表すブロック図である。
【図１１】変形例２に係る印刷処理システムの概略構成例を模式的に表すブロック図である。
【発明を実施するための形態】
【００１０】
以下、本発明の実施の形態について、図面を参照して詳細に説明する。なお、説明は以下の順序で行う。
１．実施の形態（画像保存通信システムを含む印刷処理システムの例）
２．変形例
変形例１（ＤＩＣＯＭデータ印刷ジョブを外部の他の画像形成装置へ出力する例）
変形例２（画像保存通信システムを含まない印刷処理システムの例）
３．その他の変形例
【００１１】
＜１．実施の形態＞
［概略構成］
図１は、本発明の一実施の形態に係る印刷処理システム（印刷処理システム５）の概略構成例を、ブロック図で模式的に表したものである。本実施の形態の印刷処理システム５は、ＤＩＣＯＭ規格が適用されるシステムであり、図１に示したように、モダリティ装置１（医用画像機器）、画像保存通信システム２、情報処理装置３および画像形成装置４を備えている。また、これらモダリティ装置１、画像保存通信システム２、情報処理装置３および画像形成装置４はそれぞれ、図１に示したように、既存の各種通信技術を用いたネットワーク５０を介して相互に接続されており、各種のデータを互いに送受信することが可能となっている。なお、このネットワーク５０は、有線のネットワーク、あるいは、無線のネットワークのいずれであってもよい。
【００１２】
（モダリティ装置１）
モダリティ装置１は、例えば患者の所定部位を撮影することにより、その撮像データとして、ＤＩＣＯＭ規格により規定された医用画像データ（デジタル画像）であるＤＩＣＯＭデータＤｄを生成および出力する装置である。このようなモダリティ装置１としては、例えば、ＣＴ（Computed Tomography：コンピュータ断層撮影）装置、ＭＲＩ（Magnetic Resonance Imaging：核磁気共鳴画像法）装置および超音波診断装置等が挙げられる。
【００１３】
ここで、このようにして得られるＤＩＣＯＭデータＤｄは、図１に示したように、実画像（撮像データ）としての画像データＤｄａと、この画像データＤｄに付随する（付加された）情報である付帯情報Ｄｄｂ（例えば、患者識別情報、撮影部位情報、撮影日時情報等）とを含んで構成されている。このＤＩＣＯＭデータＤｄは、本発明における「印刷データ」および「医用画像データ」の一具体例に対応している。なお、ＤＩＣＯＭデータＤｄの詳細なデータ構造例については、後述する（図２）。
【００１４】
（画像保存通信システム２）
画像保存通信システム２は、ＰＡＣＳ（Picture Archiving and Communication System）と呼ばれるシステムであり、例えば図１に示したように、１つのサーバ２１と、複数（この例では３つ）の端末装置２２とを含んで構成されている。これらサーバ２１と各端末装置２２との間は、図１に示したように、ネットワーク２０により相互に接続されている。なお、このネットワーク２０もまた、有線のネットワーク、あるいは、無線のネットワークのいずれであってもよい。
【００１５】
サーバ２１は、図１に示したように、モダリティ装置１から出力されたＤＩＣＯＭデータＤｄを取得し、データベース化して保存および管理するための装置である。各端末装置２２は、サーバ２１に対して各種の要求を行うための装置である。これにより画像保存通信システム２では、例えば、端末装置２２からの要求により、サーバ２１内から所望のＤＩＣＯＭデータＤｄを呼び出して端末装置２２内の表示部に表示したり、図１に示したように、必要に応じてそのＤＩＣＯＭデータＤｄを画像形成装置４へ供給したりすることが可能となっている。
【００１６】
情報処理装置３は、例えば、通常のＯＡ（Office Automation）用途で用いられるパーソナルコンピュータ（Personal Computer：ＰＣ）である。このような情報処理装置３から画像形成装置４に対しては、例えば各種のＯＡソフトからの出力結果や所定のウェブサイトの出力画面等に対応する、通常印刷ジョブＪｓが供給されるようになっている。なお、この通常印刷ジョブＪｓは、情報処理装置３内のプリンタドライバにより生成される。また、この情報処理装置３は、図１に示したように、例えばＣＲＴ（Cathode Ray Tube：陰極線管）や液晶ディスプレイ（ＬＣＤ：Liquid Crystal Display）等を用いて構成された表示部３０を有している。
【００１７】
画像形成装置４は、図１に示したように、後述する所定の情報を記憶（保持）するための記憶装置４１と、後述する被印刷媒体９（記録媒体）に対して画像形成を行う画像形成部４６と、この画像形成部４６の動作を制御する機能を有するＤＩＣＯＭデータ印刷ジョブ生成部４５とを含んで構成されている。この画像形成装置４には、図１に示したように、モダリティ装置１から直接、あるいは、上記したように画像保存通信システム２を経由して間接的に、ＤＩＣＯＭデータＤｄが供給されるようになっている。画像形成装置４は、本発明における「画像形成装置」の一具体例に対応している。なお、このような画像形成装置４の詳細構成については、後述する（図３）。
【００１８】
［ＤＩＣＯＭデータＤｄのデータ構造］
次いで、図２を参照して、前述したＤＩＣＯＭデータＤｄのデータ構造例について説明する。
【００１９】
図２は、このＤＩＣＯＭデータＤｄのデータ構造例を模式的に表したものである。ＤＩＣＯＭデータＤｄは、図２に示したように、連続する複数のData Element６が配置されてなる。換言すると、ＤＩＣＯＭデータＤｄは、複数のData Element６の集合体からなる。また、各Data Element６は、図２に示したように、ＴＡＧ６１、ＶＲ（Value Representations）６２、Value Length６３およびValue６４が、この順序で並んで配置されるように構成されている。
【００２０】
ＴＡＧ６１は、図２に示したように、Group No６１１およびElement No６１２により構成されている。Group No６１１は、自身を含むData Element６が、何の（どのような内容の）情報に関するものであるのかを示している。また、Element No６１２は、グループ（Group）内での識別を行うためのものである。このようなGroup No６１１とElement No６１２との値の組合せにより、ＴＡＧ６１の情報全体で、該当するData Element６がどのような内容の情報に関するものであるのかが決定されるようになっている。
【００２１】
具体的には、例えば、Group No６１１＝「００１０」およびElement No６１２＝「００１０」である場合には、ＴＡＧ６１の情報全体で、該当するData Element６が患者名（Patient Name）の情報に関するものであることを示している。また、例えば、Group No６１１＝「７ｆｅ０」およびElement No６１２＝「００１０」である場合には、ＴＡＧ６１の情報全体で、該当するData Element６が画像のピクセルデータに関する情報であることを示している。
【００２２】
ＶＲ６２は、自身を含むData Element６におけるデータの型を示すものである。このデータの型としては、例えば、日付、時刻、バイナリ、数字、文字等、各種のものが挙げられる。なお、このＶＲ６２は、ＤＩＣＯＭ規格上では省略することも可能であり、その有無についてはＤＩＣＯＭデータＤｄの受信時に決定されるようになっている。
【００２３】
Value Length６３は、自身を含むData Element６におけるデータの長さ（データ長）を示すものである。
【００２４】
Value６４は、自身を含むData Element６におけるデータ自体（値）を示すものである。
【００２５】
［画像形成装置４の詳細構成］
続いて、図３を参照して、前述した画像形成装置４の詳細構成例について説明する。
【００２６】
図３は、この画像形成装置４の詳細構成例をブロック図で模式的に表したものである。画像形成装置４は、図３に示したように、操作パネル４０、記憶装置４１、抽出ＴＡＧ情報設定部４２ａ、出力媒体設定部４２ｂ、通常印刷ジョブ受信部４３ａ、ＤＩＣＯＭデータ受信部４３ｂ、検知部４４、ＤＩＣＯＭデータ印刷ジョブ生成部４５および画像形成部４６を有している。
【００２７】
操作パネル４０は、画像形成装置４のユーザによる操作に応じて操作信号を生成し、その操作信号を表示制御部へ供給する機能（操作入力機能）を有している。また、この操作パネル４０は、この表示制御部による表示制御に従って、各種の設定画面の表示を行う機能（画像表示機能）を有している。このような操作パネル４０は、例えば、各種方式によるタッチパネルを用いて構成されている。このようなタッチパネルとしては、例えば、液晶ディスプレイや有機ＥＬ（Electro Luminescence）ディスプレイ等を用いたタッチパネルが挙げられる。
【００２８】
記憶装置４１は、図３に示したように、抽出ＴＡＧ情報４１ａおよび媒体設定情報４１ｂ等の情報を記憶しておくための装置である。この記憶装置４１は、例えばＨＤＤ（Hard Disk Drive）等の磁気記憶装置や半導体記憶装置などの、各種の記憶装置を用いて構成されている。なお、抽出ＴＡＧ情報４１ａおよび媒体設定情報４１ｂの内容については、以下詳述する。
【００２９】
（抽出ＴＡＧ情報設定部４２ａ）
抽出ＴＡＧ情報設定部４２ａは、後述するＤＩＣＯＭデータ受信部４３ｂにおいて受信したＤＩＣＯＭデータＤｄから自動的に抽出する対象となるＴＡＧ６１に関する情報を、抽出ＴＡＧ情報４１ａとして予め設定し、上記した記憶装置４１内に保持しておく機能を有している。このような抽出ＴＡＧ情報４１ａの事前設定は、例えば、画像形成装置４内の前述した操作パネル４０上、あるいは、情報処理装置３内の前述した表示部３０上に表示される設定画面（以下説明する抽出ＴＡＧ情報設定画面７１）を用いて行われる。なお、表示部３０上の設定画面を利用する場合には、画像形成装置４にＷｅｂサーバ機能を搭載しておき、情報処理装置３におけるＷｅｂブラウザを用いて、表示部３０上に設定画面が表示されるようになっている。
【００３０】
図４は、上記した抽出ＴＡＧ情報設定画面７１の一例を模式的に表したものである。この抽出ＴＡＧ情報設定画面７１には、図４に示したように、抽出ＴＡＧ情報入力部７１１、抽出ＴＡＧ情報リスト７１２、ADDボタン７１３、Deleteボタン７１４、Font Size設定部７１５、Font Color設定部７１６およびSetボタン７１７が、それぞれ表示されるようになっている。
【００３１】
抽出ＴＡＧ情報入力部７１１は、この例では図４に示したように、抽出ＴＡＧ情報設定画面７１内の左上領域に配置されている。この抽出ＴＡＧ情報入力部７１１には、前述したＴＡＧ６１を構成するGroup No６１１およびElement No６１２の各値を個別に入力する部分である、Group No入力部７１１ａおよびElement No入力部７１１ｂがそれぞれ設けられている。
【００３２】
抽出ＴＡＧ情報リスト７１２は、抽出ＴＡＧ情報入力部７１１から入力された抽出ＴＡＧ情報４１ａをリスト化して表示した部分であり、この例では図４に示したように、抽出ＴＡＧ情報設定画面７１内の右領域に配置されている。この抽出ＴＡＧ情報リスト７１２には、Group No６１１およびElement No６１２の各値を個別に表示する部分である、Group No表示部７１２ａおよびElement No表示部７１２ｂと、Group No６１１およびElement No６１２の値の組み合わせにより規定されるＴＡＧ６１の内容（ＤＩＣＯＭ規格に準拠した属性名）を示すDescription７１２ｃとが、それぞれ表示されている。
【００３３】
具体的には、この例では図４に示したように、Group No６１１＝「０００８」およびElement No６１２＝「００２０」である場合には、ＴＡＧ６１の属性名が検査日（Study Date）となっており、Group No６１１＝「０００８」およびElement No６１２＝「００３０」である場合には、ＴＡＧ６１の属性名が検査時間（Study Time）となっている。また、Group No６１１＝「００１０」およびElement No６１２＝「００１０」である場合には、ＴＡＧ６１の属性名が患者名（Patient Name）となっており、Group No６１１＝「００１０」およびElement No６１２＝「００２０」である場合には、ＴＡＧ６１の属性名が患者ＩＤ（Patient ID）となっている。Group No６１１＝「００１０」およびElement No６１２＝「００３０」である場合には、ＴＡＧ６１の属性名が患者の誕生日（Patient Birth Date）となっており、Group No６１１＝「００１０」およびElement No６１２＝「００４０」である場合には、ＴＡＧ６１の属性名が患者の性別（Patient Sex）となっており、Group No６１１＝「００１０」およびElement No６１２＝「１０１０」である場合には、ＴＡＧ６１の属性名が患者の年齢（Patient Age）となっている。
【００３４】
このようにして、入力されたＴＡＧ６１の属性名が抽出ＴＡＧ情報リスト７１２内に自動的に表示されることで、ＤＩＣＯＭ規格の規格書がユーザの手元にない場合であっても、ＴＡＧ６１の属性名が一見して把握できるようになる。その結果、ＴＡＧ６１（抽出ＴＡＧ情報４１ａ）の入力ミスが防止され易くなるとともに、抽出ＴＡＧ情報４１ａの設定後のメンテナンスも容易となる。
【００３５】
ADDボタン７１３は、抽出ＴＡＧ情報入力部７１１において入力された抽出ＴＡＧ情報４１ａ（Group No６１１およびElement No６１２の各値）を、抽出ＴＡＧ情報リスト７１２内に追加（反映）させるための操作ボタンである。このADDボタン７１３は、この例では図４に示したように、抽出ＴＡＧ情報入力部７１１と抽出ＴＡＧ情報リスト７１２との間の領域（抽出ＴＡＧ情報設定画面７１内の中央領域付近）に配置されている。
【００３６】
Deleteボタン７１４は、抽出ＴＡＧ情報リスト７１２内で選択されている抽出ＴＡＧ情報４１ａを、この抽出ＴＡＧ情報リスト７１２内から削除するための操作ボタンである。このDeleteボタン７１４もまた、この例では図４に示したように、抽出ＴＡＧ情報入力部７１１と抽出ＴＡＧ情報リスト７１２との間の領域に配置されている。詳細には、Deleteボタン７１４はADDボタン７１３の下側の領域に配置されている。
【００３７】
Font Size設定部７１５は、詳細は後述するが、抽出ＴＡＧ情報４１ａに対応する文字情報（抽出ＴＡＧ情報４１ａに該当するＴＡＧ６１を含んだData Element６に含まれる文字情報）を後述する被印刷媒体９に印刷する際の、文字サイズ（Font Size）を設定するための部分である。このFont Size設定部７１５は、この例では図４に示したように、抽出ＴＡＧ情報設定画面７１内の左下領域に配置されており、プルダウン形式での選択によって、Font Size＝「１１」pt（ポイント）に設定されている。なお、このFont Sizeは、本発明における「文字サイズ」の一具体例に対応している。
【００３８】
Font Color設定部７１６は、上記したように、抽出ＴＡＧ情報４１ａに対応する文字情報を後述する被印刷媒体９に印刷する際の、文字色（Font Color）を設定するための部分である。このFont Color設定部７１６もまた、この例では図４に示したように、抽出ＴＡＧ情報設定画面７１内の左下領域（Font Size設定部７１５の下側の領域）に配置されており、プルダウン形式での選択によって、Font Color＝「Black」（黒色）に設定されている。なお、このFont Colorは、本発明における「文字色」の一具体例に対応している。
【００３９】
このように本実施の形態では、抽出ＴＡＧ情報４１ａに対応する文字情報（後述する付帯情報画像９０ｂ）を後述する被印刷媒体９に印刷する際の、Font SizeおよびFont Colorがそれぞれ、抽出ＴＡＧ情報設定画面７１内で、ユーザにより任意に設定可能となっている。ただし、これらFont SizeおよびFont Colorのうちの一方のみが任意に設定可能となっているようにしてもよい。
【００４０】
Setボタン７１７は、抽出ＴＡＧ情報リスト７１２に掲載されている抽出ＴＡＧ情報４１ａと、Font Size設定部７１５により設定されているFont Sizeと、Font Color設定部７１６により設定されているFont Colorとをそれぞれ最終的に決定するための操作ボタンである。このようにしてSetボタン７１７により最終決定された各情報は、記憶装置４１内に抽出ＴＡＧ情報４１ａとして記録（保存）されるようになっている。このようなSetボタン７１７は、この例では図４に示したように、抽出ＴＡＧ情報設定画面７１内の下側領域に配置されている。
【００４１】
（出力媒体設定部４２ｂ）
図３に示した出力媒体設定部４２ｂは、後述する画像形成部４６により形成される画像の出力媒体（後述する被印刷媒体９）に関する情報を、媒体設定情報４１ｂとして予め設定し、記憶装置４１内に保持しておく機能を有している。このような媒体設定情報４１ｂの事前設定は、上記した抽出ＴＡＧ情報設定画面７１の場合と同様に、例えば、画像形成装置４内の操作パネル４０上、あるいは、情報処理装置３内の表示部３０上に表示される設定画面（以下説明する出力媒体設定画面７２）を用いて行われるようになっている。
【００４２】
図５は、この出力媒体設定画面７２の一例を模式的に表したものである。この出力媒体設定画面７２には、図５に示したように、トレイ用紙設定部７２１、印刷トレイ設定部７２２およびSetボタン７２３がそれぞれ、出力媒体設定画面７２内の上側から下側へ向けてこの順に表示されている。
【００４３】
トレイ用紙設定部７２１では、画像形成装置４に設けられているトレイ７２１ａごとに、後述する被印刷媒体９の用紙サイズ７２１ｂおよび用紙種類７２１ｃがそれぞれ、個別にプルダウン形式により選択できるようになっている。この例では図４に示したように、トレイ７２１ａ＝「トレイ１」では、被印刷媒体９の用紙サイズ７２１ｂ＝「Ａ４」、被印刷媒体９の用紙種類７２１ｃ＝「普通紙」に設定されている。また、トレイ７２１ｂ＝「トレイ２」では、被印刷媒体９の用紙サイズ７２１ｂ＝「Ａ４」、被印刷媒体９の用紙種類７２１ｃ＝「特殊用紙」に設定されている。トレイ７２１ａ＝「手差しトレイ」では、被印刷媒体９の用紙サイズ７２１ｂ＝「Ａ４」、被印刷媒体９の用紙種類７２１ｃ＝「ＯＨＰ（OverHead Projector）用紙」に設定されている。
【００４４】
印刷トレイ設定部７２２では、画像形成装置４における受信データ７２２ａの種類ごとに、印刷用のトレイ７２１ａである印刷トレイ７２２ｂが、プルダウン形式により選択できるようになっている。この例では図４に示したように、受信データ７２２ａ＝「通常印刷ジョブ」（前述した通常印刷ジョブＪｓ）の場合、印刷トレイ７２２ｂ＝「トレイ１」に設定されていることから、上記したように、被印刷媒体９の用紙サイズ７２１ｂ＝「Ａ４」、被印刷媒体９の用紙種類７２１ｃ＝「普通紙」に設定されるようになっている。また、受信データ７２２ａ＝「ＤＩＣＯＭデータ」（前述したＤＩＣＯＭデータＤｄ）の場合、印刷トレイ７２２ｂ＝「トレイ２」に設定されていることから、上記したように、被印刷媒体９の用紙サイズ７２１ｂ＝「Ａ４」、被印刷媒体９の用紙種類７２１ｃ＝「特殊用紙」に設定されるようになっている。
【００４５】
なお、この例では、受信データ７２２ａの種類ごとに印刷トレイ７２２ｂが個別に設定される場合について説明したが、これには限られない。すなわち、例えば、受信データ７２２ａの種類によらず（通常印刷ジョブＪｓの場合とＤＩＣＯＭデータＤｄの場合とで区別せずに）、一律に印刷トレイ７２２ｂが設定されるようにしてもよい。
【００４６】
Setボタン７２３は、トレイ用紙設定部７２１により設定されている情報と、印刷トレイ設定部７２２により設定されている情報とをそれぞれ最終的に決定するための操作ボタンである。このようにしてSetボタン７２３により最終決定された各情報は、記憶装置４１内に媒体設定情報４１ｂとして記録（保存）されるようになっている。
【００４７】
図３に示した通常印刷ジョブ受信部４３ａは、前述した通常印刷ジョブＪｓを情報処理装置３から受信（取得）する部分である。具体的には、この通常印刷ジョブ受信部４３ａは、例えばストリーム形式によって通常印刷ジョブＪｓを受信するようになっている。
【００４８】
ＤＩＣＯＭデータ受信部４３ｂは、前述したように、モダリティ装置１または画像保存通信システム２から供給されたＤＩＣＯＭデータＤｄを受信（取得）する部分である。ここで、ＤＩＣＯＭデータＤｄを受信するには、ＤＩＣＯＭ規格に準拠した通信を行う必要がある。このため、このＤＩＣＯＭデータ受信部４３ｂは、ＤＩＣＯＭ規格のプロトコルに準拠した手法でＤＩＣＯＭデータＤｄを受信するとともに、上記した通常印刷ジョブ受信部４３ａとは別個に設けられるようになっている。具体的には、ＴＣＰ（Transmission Control Protocol）／ＩＰ（Internet Protocol）上で待ち受けるポート番号が、通常印刷ジョブ受信部４３ａのポート番号とは異なるように設定されている。
【００４９】
ここで、このＤＩＣＯＭデータ受信部４３ｂは、受信したＤＩＣＯＭデータＤｄを、例えば自身内のメモリに保存した後に、後述するＤＩＣＯＭデータ印刷ジョブ生成部４５へと引き継ぐ（供給する）ようになっている。ただし、この自身内のメモリの容量が小さい場合や、ＤＩＣＯＭデータＤｄのデータサイズが大きい場合（高解像度の画像データＤｄａを含む場合等）などには、画像形成装置４の外部に別途設けられた大容量ストレージ（ＨＤＤ等）を利用するようにしてもよい。すなわち、受信したＤＩＣＯＭデータＤｄをこの大容量ストレージ内に一旦保存した後、ＤＩＣＯＭデータ印刷ジョブ生成部４５へと供給するようにしてもよい。なお、このＤＩＣＯＭデータ受信部４３ｂは、本発明における「取得部」の一具体例に対応している。
【００５０】
（検知部４４）
検知部４４は、図３に示したように所定のパラメータｐを検知する部分であり、例えば、そのパラメータｐの内容に応じた各種のセンサ素子等を用いて構成されている。このようなパラメータｐとしては、例えば、後述する被印刷媒体９の属性や、画像形成部４６における後述する両面印刷ユニットの装着の有無に関する情報等が挙げられる。また、この被印刷媒体９の属性としては、例えば、被印刷媒体９の種類（普通用紙や特殊用紙等）、材質（透明媒体や不透明媒体等）、サイズおよび厚みのうちの少なくとも１つが挙げられる。
【００５１】
（ＤＩＣＯＭデータ印刷ジョブ生成部４５）
ＤＩＣＯＭデータ印刷ジョブ生成部４５は、前述したように、画像形成部４６の動作（画像形成動作，印刷動作）を制御する機能を有しており、図３に示したようにＤＩＣＯＭデータ印刷ジョブＪｄを生成して画像形成部４６へ出力するようになっている。具体的には、このＤＩＣＯＭデータ印刷ジョブ生成部４５は、ＤＩＣＯＭデータ受信部４３ｂから供給されるＤＩＣＯＭデータＤｄと、記憶装置４１に記録されている抽出ＴＡＧ情報４１ａおよび媒体設定情報４１ｂと、必要に応じて検知部４４において検知されたパラメータｐとを用いて、ＤＩＣＯＭデータ印刷ジョブＪｄを生成する。この際、ＤＩＣＯＭデータ印刷ジョブ生成部４５は、例えばＰＤＬ（Page Description Language）を用いて、ＤＩＣＯＭデータ印刷ジョブＪｄを生成するようになっている。ここで、このＤＩＣＯＭデータ印刷ジョブ生成部４５が、本発明における「制御部」および「情報処理装置」の一具体例に対応している。
【００５２】
このＤＩＣＯＭデータ印刷ジョブ生成部４５は、より具体的には図３に示したように、表面９ａおよび裏面９ｂを有する被印刷媒体９に対して以下のような画像形成が行われるように、ＤＩＣＯＭデータ印刷ジョブＪｄを用いて画像形成部４６を制御する。すなわち、ＤＩＣＯＭデータ印刷ジョブ生成部４５は、第１の印刷モード（両面印刷モード）では、まず、ＤＩＣＯＭデータＤｄのうちの前述した画像データＤｄａに基づく画像（後述するＤＩＣＯＭデータ画像９０ａ）が、その被印刷媒体９の表面９ａに形成されるように、画像形成部４６を制御する。また、それとともに、この第１の印刷モードにおいては、ＤＩＣＯＭデータ印刷ジョブ生成部４５は、ＤＩＣＯＭデータＤｄのうちの前述した付帯情報Ｄｄｂに基づく画像（後述する付帯情報画像９０ｂ）が、その被印刷媒体９の裏面９ｂに形成されるように、画像形成部４６を制御する。なお、被印刷媒体９におけるこれら表面９ａおよび裏面９ｂはそれぞれ、本発明における「第１面」および「第２面」の一具体例に対応している。
【００５３】
ＤＩＣＯＭデータ印刷ジョブ生成部４５はまた、このような第１の印刷モード（両面印刷モード）と、以下の第２の印刷モード（片面印刷モード）とのうちのいずれか一方が実行されるように、画像形成部４６を制御するようになっている。この際、ＤＩＣＯＭデータ印刷ジョブ生成部４５は、例えば、検知部４４により検知されたパラメータｐの内容（被印刷媒体９の属性等）に応じて、そのような第１または第２の印刷モードが選択的に実行されるように、画像形成部４６を制御する。ここで、この例では第２の印刷モードにおいて、画像データＤｄａに基づく画像のみが、被印刷媒体９の表面９ａに形成されるようになっている。換言すると、ＤＩＣＯＭデータ印刷ジョブ生成部４５は、この第２の印刷モードでは、画像データＤｄａに基づく画像のみが被印刷媒体９の表面９ａに形成されるように、画像形成部４６を制御するようになっている。
【００５４】
なお、このようなＤＩＣＯＭデータ印刷ジョブ生成部４５の動作例の詳細（ＤＩＣＯＭデータ印刷ジョブＪｄの詳細な生成動作例）については、後述する（図７Ａ，図７Ｂ，図８，図９参照）。
【００５５】
（画像形成部４６）
画像形成部４６は、図３に示したように、通常印刷ジョブ受信部４３ａから供給された通常印刷ジョブＪｓ、あるいは、ＤＩＣＯＭデータ受信部４３ｂにより受信されたＤＩＣＯＭデータＤｄを基に生成されたＤＩＣＯＭデータ印刷ジョブＪｄに基づいて、上記した被印刷媒体９に対して画像を形成するユニット（印刷ユニット）である。換言すると、この画像形成部４６は、通常印刷ジョブＪｓまたはＤＩＣＯＭデータ印刷ジョブＪｄによるジョブ出力要求に応じて、被印刷媒体９に対する画像形成を行う。この際、画像形成部４６は、既知の各種印刷技術を利用して、被印刷媒体９に対して画像を印刷するようになっている。また、この画像形成部４６は、例えば、装脱自在に構成された両面印刷ユニットを含んで構成されており、上記したように両面印刷が可能となっている（両面印刷モードを有している）。
【００５６】
［作用・効果］
（Ａ．基本動作）
この印刷処理システム５では、まず、モダリティ装置１において患者の所定部位等が撮影されることで、その撮像データとしてのＤＩＣＯＭデータＤｄが生成される。このようにして生成されたＤＩＣＯＭデータＤｄは、図１に示したように、モダリティ装置１から直接、あるいは、画像保存通信システム２を経由して間接的に、画像形成装置４へと供給される。一方、情報処理装置３から画像形成装置４へは、通常印刷ジョブＪｓが随時供給される。
【００５７】
この画像形成装置４では、図３に示したように、通常印刷ジョブＪｓが通常印刷ジョブ受信部４３ａにより受信されるとともに、ＤＩＣＯＭデータＤｄがＤＩＣＯＭデータ受信部４３ｂにより受信される。そして、受信された通常印刷ジョブＪｓは、通常印刷ジョブ受信部４３ａから画像形成部４６へと供給される。一方、受信されたＤＩＣＯＭデータＤｄは、まず、ＤＩＣＯＭデータ印刷ジョブ生成部４５へと供給される。このＤＩＣＯＭデータ印刷ジョブ生成部４５では、以下のようにして、供給されたＤＩＣＯＭデータＤｄに基づく画像を画像形成部４６に生成させるためのＤＩＣＯＭデータ印刷ジョブＪｄを生成する。すなわち、ＤＩＣＯＭデータ印刷ジョブ生成部４５は、ＤＩＣＯＭデータＤｄと、抽出ＴＡＧ情報設定部４２ａおよび出力媒体設定部４２ｂにより予め設定されて記憶装置４１に記録されている抽出ＴＡＧ情報４１ａおよび媒体設定情報４１ｂと、必要に応じて検知部４４において検知されたパラメータｐとを用いて、ＤＩＣＯＭデータ印刷ジョブＪｄを生成する。そして、画像形成部４６では、供給された通常印刷ジョブＪｓまたはＤＩＣＯＭデータ印刷ジョブＪｄによるジョブ出力要求に応じて、被印刷媒体９に対し、既知の各種印刷技術を利用した画像形成（印刷動作）を行う。
【００５８】
このようにして印刷処理システム５では、モダリティ装置１において得られたＤＩＣＯＭデータＤｄ、または情報処理装置３から出力された通常印刷ジョブＪｓに基づいて、被印刷媒体９への画像形成が行われる。
【００５９】
（Ｂ．画像データＤｄａおよび付帯情報Ｄｄｂの印刷動作）
ところで、従来の医療診断画像（レントゲン写真など）では、フィルムなどを利用したアナログ画像が使用されていた。これに対して昨今では、例えば本実施の形態の印刷処理システム５のように、実画像としての画像データと前述した付帯情報とを含んで構成されたＤＩＣＯＭ規格のデジタル画像データ（ＤＩＣＯＭデータ）を利用する方式が主流となりつつなる。この方式では、例えば、ＤＩＣＯＭデータを高解像度モニターに表示したうえで、医療診断が行われる。
【００６０】
また、この方式の適用拡大に伴い、例えば、インフォームドコンセントのための説明資料や、医療機関内での症例フリーフィングの際に配布される参考資料等を、ＤＩＣＯＭデータに基づいて印刷出力する機会が増加しつつある。この際、印刷出力する媒体としても、従来利用されていた高コストのフィルム用紙（透明媒体）の代わりに、低コストの普通紙（不透明媒体）を使用したいという要望が挙がりつつある。
【００６１】
ここで、このようにして得られる出力画像の取り違えを防止するため、ＤＩＣＯＭデータに含まれる付帯情報（患者識別情報、撮影部位情報、撮影日時情報等）を、文字情報として実画像とともに被印刷媒体上に印刷する手法が提案されている。これにより、出力画像（出力媒体）の取り違えが防止され、医療事故に繋がるおそれが回避される。ところが、このようにして、ＤＩＣＯＭデータに含まれる実画像（画像データ）と文字情報（付帯情報）との双方を被印刷媒体上に印刷する場合、例えば以下の問題が生じ得る。
【００６２】
（Ｂ−１．比較例）
図６Ａおよび図６Ｂはそれぞれ、本実施の形態に対する比較例（比較例１，２）における、被印刷媒体（被印刷媒体９０１，９０２）への画像形成例（ＤＩＣＯＭデータＤｄに基づく医用画像の印刷態様例）を、模式的に表したものである。
【００６３】
まず、図６Ａに示した比較例１では、被印刷媒体９０１の一面（表面）上に、ＤＩＣＯＭデータＤｄのうちの画像データＤｄａに基づく画像（ＤＩＣＯＭデータ画像９０ａ）が形成されている。また、それとともに、この被印刷媒体９０１の表面上には、ＤＩＣＯＭデータＤｄのうちの付帯情報Ｄｄｂに基づく画像（付帯情報画像９０ｂ）が、ＤＩＣＯＭデータ画像９０ａ上に重ね合わされるようにして（オーバーレイ状態にて）形成されている。つまり、この比較例１では、図６Ａに示したように、ＤＩＣＯＭデータ画像９０ａおよび付帯情報画像９０ｂの双方が、被印刷媒体９０１の同一面上に重ね合わされた状態で形成されている。
【００６４】
ところが、このようなＤＩＣＯＭデータ画像９０ａと付帯情報画像９０ｂとの重ね合わせ処理により、これらの画像同士の干渉が生じることから、肝心のＤＩＣＯＭデータ画像９０ａ（実画像）において、画質劣化を招いてしまうことになる。このような画質劣化は、実画像が見づらくなる（画像の判別がしにくくなる）等の利便性低下に繋がる。
【００６５】
また、図６Ｂに示した比較例２においても、比較例１と同様に、ＤＩＣＯＭデータ画像９０ａおよび付帯情報画像９０ｂの双方が、被印刷媒体９０２の同一面上に形成されている。ただし、この比較例２では比較例１とは異なり、ＤＩＣＯＭデータ画像９０ａと付帯情報画像９０ｂとは重ね合わされていないことから、これらの画像同士の干渉は生じていない。具体的には、比較例２では図６Ｂに示したように、ＤＩＣＯＭデータ画像９０ａに対してサイズ合わせ（サイズ変換）の処理がなされて縮小化されると共に、それにより生じた被印刷媒体９０２上の余白領域に付帯情報画像９０ｂが形成されるようになっている。
【００６６】
ところが、このようなＤＩＣＯＭデータ画像９０ａに対するサイズ変換（縮小化）の処理がなされると、やはり肝心のＤＩＣＯＭデータ画像９０ａの画質劣化を招き、画像が見づらくなる（画像の判別がしにくくなる）等の利便性低下に繋がる。
【００６７】
このように、比較例１，２のいずれにおいても、ＤＩＣＯＭデータ画像９０ａの画質劣化が生じ、ユーザの利便性が低下してしまうことになる。
【００６８】
（Ｂ−２．ＤＩＣＯＭデータ印刷ジョブ生成部４５の動作の概要）
これに対して本実施の形態では、ＤＩＣＯＭデータ印刷ジョブ生成部４５において、以下詳述するようにして、画像形成部４６における画像形成動作の制御を行う（ＤＩＣＯＭデータ印刷ジョブＪｄを生成・出力する）ことで、比較例１，２における上記問題点を解決するようにしている。
【００６９】
具体的には、このＤＩＣＯＭデータ印刷ジョブ生成部４５は、第１の印刷モード（両面印刷モード）では、ＤＩＣＯＭデータＤｄのうちの画像データＤｄａに基づく画像（ＤＩＣＯＭデータ画像９０ａ）が、その被印刷媒体９の表面９ａに形成されるように、画像形成部４６を制御する。また、それとともに、この第１の印刷モードにおいては、ＤＩＣＯＭデータ印刷ジョブ生成部４５は、ＤＩＣＯＭデータＤｄのうちの付帯情報Ｄｄｂに基づく画像（付帯情報画像９０ｂ）が、その被印刷媒体９の裏面９ｂに形成されるように、画像形成部４６を制御する。なお、ＤＩＣＯＭデータ画像９０ａおよび付帯情報画像９０ｂはそれぞれ、本発明における「第１の画像」および「第２の画像」の一具体例に対応している。
【００７０】
このような画像形成動作の制御がなされることにより、本実施の形態では比較例１，２とは異なり、画像データＤｄａ（ＤＩＣＯＭデータ画像９０ａ）および付帯情報Ｄｄｂ（付帯情報画像９０ｂ）の双方を被印刷媒体９に印刷する際に、以下のようになる。すなわち、ＤＩＣＯＭデータ画像９０ａと付帯情報画像９０ｂとが、被印刷媒体９の表面９ａと裏面９ｂとに別個に印刷されることから、詳細は図８，図９に用いて後述するが、比較例１，２のような画質劣化がいずれも回避される。つまり、比較例１のような、画像（ＤＩＣＯＭデータ画像９０ａおよび付帯情報画像９０ｂ）同士の干渉による画質劣化と、比較例２のような、ＤＩＣＯＭデータ画像９０ａに対する縮小化処理による画質劣化とが、いずれも回避される。また、ユーザが印刷操作を行うだけで自動的に制御動作がなされることから、ユーザは特に意識することなく、このような利点を享受することができる。
【００７１】
（Ｂ−３．ＤＩＣＯＭデータ印刷ジョブ生成部４５の具体的な動作例）
以下、図７Ａ，図７Ｂ，図８，図９を参照して、このようなＤＩＣＯＭデータ印刷ジョブ生成部４５の具体的な動作例（ＤＩＣＯＭデータ印刷ジョブＪｄの生成動作例）について、詳細に説明する。
【００７２】
図７Ａ，図７Ｂはそれぞれ、ＤＩＣＯＭデータ印刷ジョブ生成部４５の動作例を流れ図で表したものである。
【００７３】
（印刷モードの決定：Ｓ１１〜Ｓ１６）
この動作例では、最初に、ＤＩＣＯＭデータ印刷ジョブ生成部４５は、各種の条件判定を利用して、第１の印刷モード（両面印刷モード）と第２の印刷モード（片面印刷モード）とのどちらを実行するのかを決定する（図７ＡのステップＳ１１〜Ｓ１６）。
【００７４】
具体的には、まず、ＤＩＣＯＭデータ印刷ジョブ生成部４５は、例えば、検知部４４において検知されたパラメータｐとしての、画像形成部４６における両面印刷ユニットの装着の有無に関する情報に基づいて、この両面印刷ユニットが装着済であるのか否かを判定する（ステップＳ１１）。ここで、両面印刷ユニットが到着されていないと判定された場合には（ステップＳ１１：Ｎ）、両面印刷モードが実行できないことから、ＤＩＣＯＭデータ印刷ジョブ生成部４５は、第２の印刷モード（片面印刷モード）が実行されるように設定する（ステップＳ１６）。なお、このステップＳ１６の後は、後述するステップＳ１７へと進むことになり、以下同様である。
【００７５】
一方、両面印刷ユニットが到着されていると判定された場合には（ステップＳ１１：Ｙ）、次にＤＩＣＯＭデータ印刷ジョブ生成部４５は、以下の判定を行う。すなわち、例えば媒体設定情報４１ｂに基づいて、ＤＩＣＯＭデータＤｄの印刷トレイにおいて指定されている被印刷媒体９（図５の例では、「トレイ２」において設定されている用紙種類７２１ｃ）が透明媒体（この例ではＯＨＰ用紙等）であるのか否かを判定する（ステップＳ１２）。なお、このように媒体設定情報４１ｂに基づいて判定する場合には、実際に対象となる印刷トレイ上に置かれている被印刷媒体９が何であるのかは判断できないことから、例えば、検知部４４において実際に検知されたパラメータｐ（被印刷媒体９の種類、材質等）に基づいて、このステップＳ１２の判定を行うようにしてもよい。
【００７６】
ここで、被印刷媒体９が透明媒体であると判定された場合には（ステップＳ１２：Ｙ）、両面印刷モードを適用すると被印刷媒体９の表面９ａ側と裏面９ｂ側とで画像の干渉が生じ得ることから、ＤＩＣＯＭデータ印刷ジョブ生成部４５は、第２の印刷モード（片面印刷モード）が実行されるように設定する（ステップＳ１６）。
【００７７】
一方、被印刷媒体９が透明媒体ではない（不透明媒体である）と判定された場合には（ステップＳ１２：Ｎ）、続いてＤＩＣＯＭデータ印刷ジョブ生成部４５は、以下の判定を行う。すなわち、抽出ＴＡＧ情報４１ａにおいて抽出対象のＴＡＧ６１（図４に示した抽出ＴＡＧ情報リスト７１２）が設定されているのか否かを判定する（ステップＳ１３）。ここで、抽出対象のＴＡＧ６１が設定されていないと判定された場合には（ステップＳ１３：Ｎ）、被印刷媒体９の裏面９ｂ側へ印刷されるべき文字情報（付帯情報画像９０ｂ）が存在しないことになるため、ＤＩＣＯＭデータ印刷ジョブ生成部４５は、第２の印刷モード（片面印刷モード）が実行されるように設定する（ステップＳ１６）。
【００７８】
一方、抽出対象のＴＡＧ６１が設定されていると判定された場合には（ステップＳ１３：Ｙ）、被印刷媒体９の裏面９ｂ側へ印刷されるべき文字情報が存在するため、ＤＩＣＯＭデータ印刷ジョブ生成部４５は、第１の印刷モード（両面印刷モード）が実行されるように設定する（ステップＳ１４）。そして、ＤＩＣＯＭデータ印刷ジョブ生成部４５は、この被印刷媒体９の裏面９ｂ側へ印刷されるべき文字情報（付帯情報画像９０ｂ）のデータを初期化する（ステップＳ１５）。なお、このステップＳ１５の後は、以下説明するステップＳ１７以降へと進む。
【００７９】
（Data Element６からの情報の取得：Ｓ１７〜Ｓ２３）
続いて、ＤＩＣＯＭデータ印刷ジョブ生成部４５は、供給されたＤＩＣＯＭデータＤｄにおける各Data Element６から、各種情報（ＤＩＣＯＭデータ画像９０ａとなる画像情報や、付帯情報画像９０ｂとなる文字情報）を取得する（図７ＡのステップＳ１７〜図７ＢのステップＳ２３）。なお、図２を用いて前述したように、ＤＩＣＯＭデータＤｄは複数のData Element６の集合体であることから、ここでは、ＤＩＣＯＭデータＤｄから順番にData Element６を抽出し、そのData Element６から情報を取得していく処理を繰り返すことになる。
【００８０】
ここでは、まず、ＤＩＣＯＭデータ印刷ジョブ生成部４５は、ＤＩＣＯＭデータＤｄから該当するData Element６を取得する（ステップＳ１７）。具体的には、図２を参照すると、固定長データであるＴＡＧ６１、ＶＲ６２およびValue Length６３を先に取得し、次いでこのValue Length６３（データ長）の値に応じてデータを読み込むことでValue６４を取得することにより、Data Element６を取得する。
【００８１】
次に、ＤＩＣＯＭデータ印刷ジョブ生成部４５は、ステップＳ１４またはステップＳ１６において設定（決定）された印刷モードが、第１の印刷モード（両面印刷モード）であるのか否かを判定する（図７ＢのステップＳ１８）。ここで、第１の印刷モードではない（片面印刷モードとしての第２の印刷モードである）と判定された場合には（ステップＳ１８：Ｎ）、以降のステップＳ２０において文字情報を取得する（読み込む）必要がないことから、後述するステップＳ２１へと進むことになる。
【００８２】
一方、第１の印刷モードであると判定された場合には（ステップＳ１８：Ｙ）、続いてＤＩＣＯＭデータ印刷ジョブ生成部４５は、現在のData Element６が、設定されている抽出ＴＡＧ情報４１ａを含んでいるのか否かを判定する（ステップＳ１９）。換言すると、現在のData Element６おけるＴＡＧ６１が、設定されている抽出ＴＡＧ情報４１ａに存在するのか否かを判定する。ここで、現在のData Element６が設定されている抽出ＴＡＧ情報４１ａを含んでいないと判定された場合には（ステップＳ１９：Ｎ）、取得対象の文字情報が存在しないことから、後述するステップＳ２１へと進むことになる。
【００８３】
一方、現在のData Element６が設定されている抽出ＴＡＧ情報４１ａを含んでいると判定された場合には（ステップＳ１９：Ｙ）、次にＤＩＣＯＭデータ印刷ジョブ生成部４５は、現在のData Element６におけるデータ（Value６４）を、付帯情報画像９０ｂとなるべき文字情報として追加する（ステップＳ２０）。
【００８４】
次いで、ＤＩＣＯＭデータ印刷ジョブ生成部４５は、現在のData Element６におけるＴＡＧ６１が、画像関係の情報を示すものであるのか否かを判定する（ステップＳ２１）。ここで言う画像関係の情報とは、画像形成に必要なるデータ全般を意味しており、例えば、画像のピクセルデータや、画像のサイズ情報等が挙げられる。
【００８５】
ここで、ＴＡＧ６１が画像関係の情報を示すものではないと判定された場合には（ステップＳ２１：Ｎ）、ＤＩＣＯＭデータ画像９０ａとなる取得対象の画像情報が存在しないことから、後述するステップＳ２３へと進むことになる。一方、ＴＡＧ６１が画像関係の情報を示すものであると判定された場合には（ステップＳ２１：Ｙ）、次にＤＩＣＯＭデータ印刷ジョブ生成部４５は、現在のData Element６におけるデータ（Value６４）を、ＤＩＣＯＭデータ画像９０ａとなるべき画像情報として保存（追加）する（ステップＳ２２）。
【００８６】
続いて、ＤＩＣＯＭデータ印刷ジョブ生成部４５は、供給されたＤＩＣＯＭデータＤｄ内に、次の（未抽出の）Data Element６が存在するのか否かを判定する（ステップＳ２３）。ここで、次のData Element６が存在すると判定された場合には（ステップＳ２３：Ｙ）、そのData Element６についてステップＳ１７〜Ｓ２２の処理を再び繰り返す。一方、次のData Element６が存在しないと判定された場合には（ステップＳ２３：Ｎ）、Data Element６からの各種情報の取得が完了し、ステップＳ２４以降へと進む。
【００８７】
（ＤＩＣＯＭデータ印刷ジョブＪｄの生成・出力：Ｓ２４〜Ｓ２７）
続いて、ＤＩＣＯＭデータ印刷ジョブ生成部４５は、このようにして得られた画像情報および文字情報等を用いてＤＩＣＯＭデータ印刷ジョブＪｄを生成し、画像形成部４６へと出力（転送）する（ステップＳ２４〜Ｓ２７）。
【００８８】
具体的には、まず、ＤＩＣＯＭデータ印刷ジョブ生成部４５は、ステップＳ１４またはステップＳ１６において設定（決定）された印刷モードが、第１の印刷モード（両面印刷モード）であるのか否かを再び判定する（ステップＳ２４）。ここで、第１の印刷モードであると判定された場合には（ステップＳ２４：Ｙ）、次にＤＩＣＯＭデータ印刷ジョブ生成部４５は、両面印刷モード用のＤＩＣＯＭデータ印刷ジョブＪｄを生成する（ステップＳ２５）。なお、その後は後述するステップＳ２７へと進むことになる。
【００８９】
この際、ＤＩＣＯＭデータ印刷ジョブ生成部４５は、ステップＳ２２において保存された画像情報と、媒体設定情報４１ｂにおいて設定（指定）されている用紙サイズ７２１ｂの情報とに基づいて、被印刷媒体９の表面９ａにＤＩＣＯＭデータ画像９０ａが形成されるように、ＤＩＣＯＭデータ印刷ジョブＪｄを生成する。また、ステップＳ２０において保存された文字情報と、抽出ＴＡＧ情報４１ａにおいて設定（指定）されているFont Size（文字サイズ）およびFont Color（文字色）の情報とに基づいて、被印刷媒体９の裏面９ｂに付帯情報画像９０ｂが形成されるように、ＤＩＣＯＭデータ印刷ジョブＪｄを生成する。
【００９０】
一方、ステップＳ２４において、第１の印刷モードではない（片面印刷モードとしての第２の印刷モードである）と判定された場合には（ステップＳ２４：Ｎ）、次にＤＩＣＯＭデータ印刷ジョブ生成部４５は、片面印刷モード用のＤＩＣＯＭデータ印刷ジョブＪｄを生成する（ステップＳ２６）。なお、その後は後述するステップＳ２７へと進むことになる。
【００９１】
この際、ＤＩＣＯＭデータ印刷ジョブ生成部４５は、ステップＳ２２において保存された画像情報と、媒体設定情報４１ｂにおいて設定（指定）されている用紙サイズ７２１ｂの情報とに基づいて、被印刷媒体９の表面９ａにＤＩＣＯＭデータ画像９０ａが形成されるように、ＤＩＣＯＭデータ印刷ジョブＪｄを生成する。また、この例では、被印刷媒体９の裏面９ｂには画像が形成されない（印刷されない）ように、ＤＩＣＯＭデータ印刷ジョブＪｄを生成する。
【００９２】
次いで、ＤＩＣＯＭデータ印刷ジョブ生成部４５は、このようにしてステップＳ２５またはステップＳ２６において生成されたＤＩＣＯＭデータ印刷ジョブＪｄを、画像形成部４６へと転送する（ステップＳ２７）。以上で、図７Ａ，図７Ｂに示した一連の処理（ＤＩＣＯＭデータ印刷ジョブＪｄの生成動作）が終了となる。
【００９３】
なお、その後は画像形成部４６において、転送されたＤＩＣＯＭデータ印刷ジョブＪｄによるジョブ出力要求に応じて、被印刷媒体９に対する画像形成が行われることになる。
【００９４】
このようにして本実施の形態では、例えば図８（Ａ）および図８（Ｂ）に示した画像形成例のように、例えば被印刷媒体９が不透明媒体９１である場合には、第１の印刷モード（両面印刷モード）が実行されるように、画像形成部４６が制御される。
【００９５】
その結果、例えば図８（Ａ）に示したように、この第１の印刷モードでは、ＤＩＣＯＭデータＤｄのうちの画像データＤｄａに基づく画像（ＤＩＣＯＭデータ画像９０ａ）が、この被印刷媒体９（不透明媒体９１）の表面９１ａに形成される。また、例えば図８（Ｂ）に示したように、ＤＩＣＯＭデータＤｄのうちの付帯情報Ｄｄｂに基づく画像（付帯情報画像９０ｂ）が、その不透明媒体９１の裏面９１ｂに形成される。なお、この例では、付帯情報画像９０ｂとして以下の文字情報が形成されている。また、この不透明媒体９１における表面９１ａおよび裏面９１ｂはそれぞれ、本発明における「第１面」および「第２面」の一具体例に対応している。
Study Date          ：  ３０−０１−２０１４
Study Time          ：  １３：０５：４０
Patient ID          ：  Ｔａｒｏ  Ｏｋｉ
Patient Birth Date  ：  １９８０−０１−３０
Patient Sex         ：  Ｍａｌｅ
Patient Age         ：  ３４
【００９６】
この際、例えば図８（Ｂ）中に示したように、この第１の印刷モードでは、前述した文字サイズや文字色に加え、被印刷媒体９上での付帯情報画像９０ｂの形成領域の位置（矢印Ｐ１１参照）および大きさ（矢印Ｐ１２参照）のうちの少なくとも１つも、任意に設定可能となっているようにするのが望ましい。
【００９７】
一方で、本実施の形態では、例えば図９（Ａ）および図９（Ｂ）に示した画像形成例のように、例えば被印刷媒体９が透明媒体９２である場合には、第２の印刷モード（片面印刷モード）が実行されるように、画像形成部４６が制御される。
【００９８】
その結果、例えば図９（Ａ）に示したように、この第２の印刷モードでは、ＤＩＣＯＭデータＤｄのうちの画像データＤｄａに基づく画像（ＤＩＣＯＭデータ画像９０ａ）が、この被印刷媒体９（透明媒体９２）の表面９２ａに形成される。また、例えば図９（Ｂ）に示したように、この透明媒体９２の裏面９２ｂには、画像形成がなされないことになる。なお、この透明媒体９２における表面９２ａおよび裏面９２ｂはそれぞれ、本発明における「第１面」および「第２面」の一具体例に対応している。
【００９９】
以上のように本実施の形態では、ＤＩＣＯＭデータ印刷ジョブ生成部４５において、第１の印刷モード（両面印刷モード）では、ＤＩＣＯＭデータＤｄのうちの画像データＤｄａに基づく画像（ＤＩＣＯＭデータ画像９０ａ）が、その被印刷媒体９の表面９ａに形成されるように、画像形成部４６を制御する。また、それとともに、この第１の印刷モードにおいては、ＤＩＣＯＭデータ印刷ジョブ生成部４５は、ＤＩＣＯＭデータＤｄのうちの付帯情報Ｄｄｂに基づく画像（付帯情報画像９０ｂ）が、その被印刷媒体９の裏面９ｂに形成されるように、画像形成部４６を制御する。これにより、例えば被印刷媒体９が不透明媒体９１である場合等において、画像データＤｄａおよび付帯情報Ｄｄｂの双方を被印刷媒体９に印刷する際に、ＤＩＣＯＭデータ画像９０ａへの付帯情報画像９０ｂの重ね合わせ処理（画像同士の干渉）による画質劣化と、ＤＩＣＯＭデータ画像９０ａに対するサイズ合わせ（縮小化）処理による画質劣化とが、いずれも回避される。よって、画質劣化を招くことなく、付帯情報Ｄｄｂを利用して出力画像の取り違え等を防止することができ、ユーザの利便性を向上させることが可能となる。
【０１００】
また、所定のパラメータｐの内容（被印刷媒体９の属性等）に応じて、第１の印刷モード（両面印刷モード）と第２の印刷モード（片面印刷モード）とのうちのいずれか一方が実行されるように画像形成部４６を制御するようにしたので、以下の効果も得られる。すなわち、所定のパラメータｐの内容に応じて印刷モードをその都度柔軟に調整することができるため、ユーザの利便性の更なる向上を図ることが可能となる。
【０１０１】
ここで、具体的には、被印刷媒体９が不透明媒体９１である場合には第１の印刷モードが実行される一方、被印刷媒体９が透明媒体９２である場合には第２の印刷モードが実行されるように画像形成部４６を制御するようにしたので、以下の効果が得られる。すなわち、不透明媒体９１の場合には両面印刷モードを適用して、上記したように画質劣化を招くことなく出力画像の取り違え等を防止できるようにする一方、透明媒体９２の場合には、以下の利点を享受することができ、被印刷媒体９の種類や材質等に応じて適切な画像形成を実現することが可能となる。ここで、透明媒体９２の場合には、例えば付帯情報画像９０ｂを裏面９２ｂに形成するようにすると、表面９２ａ側のＤＩＣＯＭデータ画像９０ａと干渉して画質劣化が生じてしまうおそれがあるが、本実施の形態では片面印刷モードが自動的に適用されるため、例えばミスプリントによる無駄な媒体損失等を防止することができる、という利点が得られる。
【０１０２】
更に、第１の印刷モード（両面印刷モード）において、被印刷媒体９上での付帯情報画像９０ｂの形成領域の位置および大きさ、ならびに、付帯情報画像９０ｂにおける文字サイズ（Font Size）および文字色（Font Color）のうちの少なくとも１つが、任意に設定可能となるようにしたので、以下の効果も得られる。すなわち、例えば、目的や用途等に応じてこれらのパラメータをその都度柔軟に調整することができるため、ユーザの利便性の更なる向上を図ることが可能となる。
【０１０３】
＜２．変形例＞
続いて、上記実施の形態の変形例（変形例１，２）について説明する。なお、実施の形態における構成要素と同一のものには同一の符号を付し、適宜説明を省略する。
【０１０４】
［変形例１］
図１０は、変形例１に係る画像形成装置（画像形成装置４Ａ）のブロック構成例を模式的に表したものである。本変形例の画像形成装置４Ａは、図１０に示したように、基本的には、図３に示した実施の形態の画像形成装置４と同様の構成である。なお、この画像形成装置４Ａは、本発明における「画像形成装置」の一具体例に対応している。
【０１０５】
画像形成装置４Ａにおける画像形成装置４との相違点は、この画像形成装置４Ａでは、図１０に示したように、ＤＩＣＯＭデータ印刷ジョブ生成部４５において生成されたＤＩＣＯＭデータ印刷ジョブＪｄを、外部の他の画像形成装置８にも出力するようにした点である。すなわち、ＤＩＣＯＭデータ印刷ジョブ生成部４５は、生成したＤＩＣＯＭデータ印刷ジョブＪｄを、画像形成装置４Ａ内の画像形成部４６に加えて、外部の他の画像形成装置８へも出力するようになっている。
【０１０６】
したがって本変形例では、実施の形態において説明した作用効果に加え、例えば以下のような作用効果を得ることが可能となる。すなわち、画像形成装置４内のＤＩＣＯＭデータ印刷ジョブ生成部４５で生成されたＤＩＣＯＭデータ印刷ジョブＪｄを、この画像形成装置４自身で使用して画像形成を行う代わりに、外部の他の画像形成装置８へと転送して画像形成を行わせることができるようになる。よって、例えば目的や用途等に応じて、最終的な出力機器をその都度柔軟に設定できるようになり、ユーザの利便性を更に向上させることが可能となる。
【０１０７】
［変形例２］
図１１は、変形例２に係る印刷処理システム（印刷処理システム５Ｂ）の概略構成例を、ブロック図で模式的に表したものである。本変形例の印刷処理システム５Ｂは、図１１に示したように、図１に示した実施の形態の印刷処理システム５において、画像保存通信システム２を設けないようにした（省いた）ものに対応し、他の構成は基本的に同様となっている。なお、この印刷処理システム５Ｂでは、例えば図１１に示したように、実施の形態で説明した画像形成装置４の代わりに、変形例１で説明した画像形成装置４Ａを設けるようにしてもよい。
【０１０８】
本変形例においても、基本的には実施の形態または変形例１と同様の作用により、同様の効果を得ることが可能となる。
【０１０９】
また、特に本変形例では、画像保存通信システム２を省くようにしたので、印刷処理システム５Ｂ全体での構成の簡素化および小型化や、コスト低減を図ることも可能となる。
【０１１０】
＜３．その他の変形例＞
以上、実施の形態および変形例を挙げて本発明を説明したが、本発明はこれらの実施の形態等に限定されず、種々の変形が可能である。
【０１１１】
例えば、上記実施の形態等では、印刷処理システム５，５Ｂおよび画像形成装置４，４Ａの構成例を具体的に挙げて説明したが、これらの構成例は、上記実施の形態等で挙げたものには限られない。同様に、例えば、ＤＩＣＯＭデータＤｄのデータ構造例や、各設定画面（抽出ＴＡＧ情報設定画面７１および出力媒体設定画面７２）の構成例についても、上記実施の形態等で挙げたものには限られない。
【０１１２】
具体的には、例えば、上記実施の形態等では、所定のパラメータｐを検知する検知部４４が画像形成装置４，４Ａ内に設けられている場合を例に挙げて説明したが、これには限られない。すなわち、例えば、検知部４４が画像形成装置４，４Ａ内には設けられておらず、所定のパラメータｐが画像形成装置４，４Ａの外部から供給されるようにしてもよい。また、場合によっては、通常印刷ジョブ受信部４３ａが画像形成装置４，４Ａに設けられていないようにしてもよい（通常印刷ジョブＪｓに基づく画像形成を、画像形成装置４，４Ａにおいて行わないようにしてもよい）。
【０１１３】
また、上記実施の形態等では、本発明に適用される医用画像データの一例として、ＤＩＣＯＭ規格により規定された画像データ（ＤＩＣＯＭデータＤｄ）を挙げて説明したが、この場合には限られず、それ以外の医用画像データを用いるようにしてもよい。更には、医用画像データには限られず、画像データと付帯情報とを含む印刷データであれば、本発明を適用することが可能である。
【０１１４】
更に、上記実施の形態等では、ＤＩＣＯＭデータ印刷ジョブ生成部４５の動作例（ＤＩＣＯＭデータ印刷ジョブＪｄの生成動作例）を具体的に挙げて説明したが、これには限られず、他の手法を用いてもよい。
【０１１５】
具体的には、例えば、上記実施の形態等では、ＤＩＣＯＭデータ印刷ジョブ生成部４５が第２の印刷モード（片面印刷モード）において、画像データＤｄａに基づく画像（ＤＩＣＯＭデータ画像９０ａ）のみが被印刷媒体９の表面９ａに形成されるように制御する場合を例に挙げて説明したが、これには限られない。すなわち、例えば、ＤＩＣＯＭデータ印刷ジョブ生成部４５がこの第２の印刷モードにおいて、ＤＩＣＯＭデータ画像９０ａと付帯情報Ｄｄｂに基づく画像（付帯情報画像９０ｂ）との双方が被印刷媒体９の表面９ａに形成されるように、画像形成部４６を制御するようにしてもよい。これら２つの手法をまとめると、第２の印刷モードにおいて、ＤＩＣＯＭデータ画像９０ａおよび付帯情報画像９０ｂのうちの少なくともＤＩＣＯＭデータ画像９０ａが被印刷媒体９の表面９ａに形成されるように制御するようにすればよいと言える。
【０１１６】
また、上記実施の形態等では、所定のパラメータｐ（被印刷媒体９の属性や、画像形成部４６における両面印刷ユニットの装着の有無に関する情報等）に応じて画像形成部４６を制御する場合について説明したが、これには限られず、他の手法を用いて制御するようにしてもよい。また、この所定のパラメータｐの一例である被印刷媒体９の属性としても、上記実施の形態等で挙げたような、被印刷媒体９の種類、材質、サイズおよび厚みのうちの少なくとも１つには限られず、他の属性を用いるようにしてもよい。
【０１１７】
なお、被印刷媒体９のサイズをパラメータｐとして用いた場合の制御動作例としては、例えば、被印刷媒体９のサイズが閾値よりも大きい（相対的に大きい）場合には、片面印刷モードが実行される一方、この閾値よりも小さい（相対的に小さい）場合には、片面印刷だと見えづらくなることから両面印刷モードが実行されるように制御する手法が挙げられる。また、被印刷媒体９の厚みをパラメータｐとして用いた場合の制御動作例としては、例えば、被印刷媒体９の厚みが閾値よりも大きい（相対的に厚い）場合には、両面印刷モードが実行される一方、この閾値よりも小さい（相対的に薄い）場合には、両面印刷だと裏側に透けてしまうおそれがあることから片面印刷モードが実行されるように制御する手法が挙げられる。
【０１１８】
更に、上記実施の形態等では、画像形成部４６で実行される印刷モードの種類として、第１，第２の印刷モードの２種類を例に挙げて説明したが、これには限られず、これら２種類以外の他の印刷モードも併用して画像形成を行うようにしてもよい。
【０１１９】
また、上記実施の形態等で説明した一連の処理は、ハードウェア（回路）で行われるようにしてもよいし、ソフトウェア（プログラム）で行われるようにしてもよい。ソフトウェアで行われるようにした場合、そのソフトウェアは、各機能をコンピュータにより実行させるためのプログラム群で構成される。各プログラムは、例えば、上記コンピュータに予め組み込まれて用いられてもよいし、ネットワークや記録媒体から上記コンピュータにインストールして用いられてもよい。
【０１２０】
更に、上記実施の形態等では、本発明における「画像形成装置」の一具体例として、印刷機能を有する画像形成装置について説明したが、これには限られない。すなわち、そのような印刷機能に加え、例えば、スキャン機能やファックス機能を有する複合機として機能する画像形成装置においても、本発明を適用することが可能である。
【符号の説明】
【０１２１】
１…モダリティ装置、２…画像保存通信システム、２０…ネットワーク、２１…サーバ、２２…端末装置、３…情報処理装置、３０…表示部、４，４Ａ…画像形成装置、４０…操作パネル、４１…記憶装置、４１ａ…抽出ＴＡＧ情報、４１ｂ…媒体設定情報、４２ａ…抽出ＴＡＧ情報設定部、４２ｂ…出力媒体設定部、４３ａ…通常印刷ジョブ受信部、４３ｂ…ＤＩＣＯＭデータ受信部、４４…検知部、４５…ＤＩＣＯＭデータ印刷ジョブ生成部、４６…画像形成部、５，５Ｂ…印刷処理システム、５０…ネットワーク、６…Data Element、６１…ＴＡＧ、６１１…Group No、６１２…Element No、６２…ＶＲ、６３…Value Length、６４…Value、７１…抽出ＴＡＧ情報設定画面、７２…出力媒体設定画面、８…画像形成装置、９…被印刷媒体、９ａ…表面、９ｂ…裏面、９０ａ…ＤＩＣＯＭデータ画像、９０ｂ…付帯情報画像、９１…不透明媒体、９１ａ…表面、９１ｂ…裏面、９２…透明媒体、９２ａ…表面、９２ｂ…裏面、Ｄｄ…ＤＩＣＯＭデータ、Ｊｓ…通常印刷ジョブ、Ｊｄ…ＤＩＣＯＭデータ印刷ジョブ。
【図１】
2016032233.tif 000003
【図２】
2016032233.tif 000004
【図３】
2016032233.tif 000005
【図４】
2016032233.tif 000006
【図５】
2016032233.tif 000007
【図６Ａ】
2016032233.tif 000008
【図６Ｂ】
2016032233.tif 000009
【図７Ａ】
2016032233.tif 000010
【図７Ｂ】
2016032233.tif 000011
【図８】
2016032233.tif 000012
【図９】
2016032233.tif 000013
【図１０】
2016032233.tif 000014
【図１１】
2016032233.tif 000015